(57)【特許請求の範囲】
【請求項１】
波長の異なるレーザ光をそれぞれ交差する方向に出射する２以上のレーザダイオードと、
それぞれの前記レーザ光の交点を通るように位置付けられた対物レンズの光軸周りに回転自在に設けられ、回転することによって反射面をそれぞれの前記レーザダイオードに選択的に対向させてそれぞれの前記レーザダイオードから出射されたレーザ光を選択的に前記対物レンズに向けて反射させる反射ミラーと、
前記レーザダイオードから出射されたレーザ光のビーム径をレーザ光の波長に応じて調節するビーム径調節手段と、
前記反射面がそれぞれの前記レーザダイオードに選択的に対向する向きに前記反射ミラーを前記対物レンズの光軸の周りに回動させる回動手段と、
を有することを特徴とする光ピックアップ。
【請求項２】
反射ミラーは、外径形状が円柱状に形成された円柱形反射ミラーであり、この円柱形反射ミラーがその中心軸を対物レンズの光軸と一致させて回動するように前記円柱形反射ミラーをハウジングに形成された取付凹部に回動自在に嵌合させたことを特徴とする請求項１記載の光ピックアップ。
【請求項３】
回動手段は、円柱形反射ミラーの外周部に取り付けられた鍔状部材と、Ｓ・Ｎ極を放射状に着磁されて前記鍔状部材におけるハウジングに対向する面に取り付けられたマグネットと、前記ハウジングにおける前記マグネットに対向する面に取り付けられたコイルとを有することを特徴とする請求項２記載の光ピックアップ。
【請求項４】
鍔状部材の外周部に取り付けられた弾性支持体と、この弾性支持体の先端部に設けられた係合体と、ハウジングに設けられて前記係合体が弾発的に係合する複数個の被係合体と、前記係合体と前記被係合体とに設けられてこれらの係合体と被係合体との係合時に通電状態となる電極端子とを有することを特徴とする請求項３記載の光ピックアップ。
【請求項５】
鍔状部材とマグネットとを一体化した鍔状マグネットモールドを設け、この鍔状マグネットモールドを円柱形反射ミラーの外周部に取り付けたことを特徴とする請求項３記載の光ピックアップ。
【請求項６】
反射ミラーは、円筒部外周面にＳ・Ｎ極を周方向に沿って着磁した円筒状マグネットモールドに平板反射ミラーを取り付けることにより形成されており、回動手段は、前記円筒状マグネットモールドとこの円筒状マグネットモールドの円筒部外周面と対向する位置に設けられたコイルとを有することを特徴とする請求項１記載の光ピックアップ。
【請求項７】
ビーム径調節手段は、反射ミラーの反射面に設けられたアパーチャを有する位相差フィルタ膜であることを特徴とする請求項１記載の光ピックアップ。
【請求項８】
ビーム径調節手段は、対物レンズの下面、又は上面、又は内部に設けられたアパーチャを有する位相差フィルタ膜であることを特徴とする請求項１記載の光ピックアップ。
【請求項９】
回動手段は、円柱形反射ミラーの外周部に取り付けられた鍔状部材と、この鍔状部材に保持されたコイルと、このコイルの中央部に設けられた磁性片と、これらのコイルと磁性片とに対向させてハウジングに設けられた複数個のマグネットとを有することを特徴とする請求項２記載の光ピックアップ。
【請求項１０】
回動手段は、反射ミラーが載置された反射ミラーホルダと、前記反射ミラーの光軸と一致させて前記反射ミラーホルダに設けられたガイド軸部と、このガイド軸部を回動自在に保持するようにハウジングに形成された保持凹部と、前記ハウジングにおける前記反射ミラーホルダの下面と対向する位置に形成された複数個の収容凹部と、これらの収容凹部に転動自在に収容されて前記反射ミラーホルダの下面に当接する複数個の球体と、前記反射ミラーホルダの下面に取付られたコイルと、このコイルの中心部に設けられた磁性片と、これらのコイルと磁性片とに対向させて前記ハウジングに設けられた複数個のマグネットとを有することを特徴とする請求項１記載の光ピックアップ。
【請求項１１】
レーザダイオードから出射されたレーザ光が反射面に入射される光路上に位置して反射ミラーと一体に回動するコリメータレンズを設けたことを特徴とする請求項１記載の光ピックアップ。
【発明の詳細な説明】
【０００１】
【発明の属する技術分野】
本発明は、光ディスクに対して記録再生を行う光ピックアップに関する。
【０００２】
【従来の技術】
従来、光ディスクとしては、ＣＤ（Ｃｏｍｐａｃｔ  Ｄｉｓｃ）とＤＶＤ（Ｄｉｇｉｔａｌ  Ｖｉｄｅｏ  Ｄｉｓｃ）とが用いられている。そして、ＣＤに対する記録再生には波長が７８０ｎｍのレーザ光が用いられ、ＤＶＤに対する記録再生には波長が６５０〜６３５ｎｍのレーザ光が用いられている。このため、１台の光ディスクドライブでＣＤとＤＶＤとの双方に対して記録再生を行うためには、その光ディスクドライブで使用される光ピックアップには、波長の異なるレーザ光を出射する２種類のレーザダイオードを設ける必要がある。
【０００３】
そこで、ＣＤとＤＶＤとの双方に対して記録再生を行えるようにした光ディスクドライブの光ピックアップとしては、ある波長のレーザ光を透過して他の波長のレーザ光を反射するという特性を有するダイクロイックプリズムのような光学素子を光路中に設け、記録再生に用いるレーザ光の切り換えを行うようにしたものが提案されている。このような光ピックアップの構造を図１７に基づいて説明する。
【０００４】
この光ピックアップは、７８０ｎｍの波長のレーザ光を出射するとともにホログラムと受光素子とを搭載した第１レーザダイオード１と、６５０ｎｍの波長のレーザ光を出射するとともにホログラムと受光素子とを搭載した第２レーザダイオード２とを備えている。さらに、これらの第１・第２レーザダイオード１，２から出射されたレーザ光の光路上に、コリメータレンズ３，４、ダイクロイックレンズ５、反射ミラー６、位相差フィルタ７、対物レンズ８が配置されている。位相差フィルタ７は、ガラス板の一面に位相差フィルタ膜７ａを形成し、その中央部にアパーチャ７ｂを形成したもので、位相差フィルタ膜７ａは６５０ｎｍの波長のレーザ光を透過させるが７８０ｎｍの波長のレーザ光を透過させない性質を有する。また、前記対物レンズ８は、ＤＶＤ対応のものである。
【０００５】
ＣＤに対して記録再生を行う場合には、第１レーザダイオード１からレーザ光が出射され、このレーザ光がコリメータレンズ３を透過した後にダイクロイックプリズム５で直角に反射され、反射ミラー６の反射面６ａへ入射される。入射されたレーザ光は反射面６ａで対物レンズ８の方向へ反射され、位相差フィルタ７を透過する。このとき、レーザ光はアパーチャ７ｂ部分のみを透過して対物レンズ８へ入射され、レーザ光のビーム径外周部は位相差フィルタ膜７ａによりカットされる。そして、位相差フィルタ７でビーム径外周部をカットされたレーザ光が対物レンズ８を透過して収光されることにより、ＣＤの記録面上に良好なスポットが形成され、記録再生が行われる。
【０００６】
一方、ＤＶＤに対して記録再生を行う場合には、第２レーザダイオード２からレーザ光が出射され、このレーザ光がコリメータレンズ４とダイクロイックプリズム５とを透過して反射ミラー６の反射面６ａへ入射される。入射されたレーザ光は反射面６ａで対物レンズ８の方向へ反射され、位相差フィルタ７を透過して対物レンズ８へ入射される。そして、対物レンズ８を透過したレーザ光が収光されてＤＶＤの記録面上にスポットが形成され、記録再生が行われる。
【０００７】
【発明が解決しようとする課題】
しかし、上述した光ピックアップによれば、以下に述べるような課題がある。
【０００８】
まず、レーザ光の光路上にダイクロイックプリズム５を設けることにより、光路長が長くなり、光ピックアップの小型化を図ることが困難になる。
【０００９】
そして、ダイクロイックプリズム５を使用することにより光路中の光学素子の数が増え、これにより、光利用効率が低下し、スポット波面の劣化が生じる。
【００１０】
また、ダイクロイックプリズム５は有限系光学系で使用すると角度依存性があり、ビーム外周部での波面の劣化が生じやすい。
【００１１】
さらに、ダイクロイックプリズム５のような光学素子では、波長によって切り換えを行えるレーザ光の種類が２種類だけである。このため、将来、青色レーザなどの短波長レーザが実用化されて３種類以上のレーザ光を切り換えようとする場合、ダイクロイックプリズム５を使用するものでは対応できない。
【００１２】
また、反射ミラー６と対物レンズ８との間に位相差フィルタ７を設けることにより、光ピックアップの高さ寸法が大きくなる。
【００１３】
そこで本発明は、上述した各課題を解決することができる光ピックアップを提供することを目的とする。
【００１４】
【課題を解決するための手段】
請求項１記載の発明の光ピックアップは、波長の異なるレーザ光をそれぞれ交差する方向に出射する２以上のレーザダイオードと、それぞれの前記レーザ光の交点を通るように位置付けられた対物レンズの光軸周りに回転自在に設けられ、回転することによって反射面をそれぞれの前記レーザダイオードに選択的に対向させてそれぞれの前記レーザダイオードから出射されたレーザ光を選択的に前記対物レンズに向けて反射させる反射ミラーと、前記レーザダイオードから出射されたレーザ光のビーム径をレーザ光の波長に応じて調節するビーム径調節手段と、前記反射面がそれぞれの前記レーザダイオードに選択的に対向する向きに前記反射ミラーを前記対物レンズの光軸の周りに回動させる回動手段とを有する。
【００１５】
従って、この光ピックアップでは、使用する光ディスクがＣＤ又はＤＶＤであると、それに応じて異なるレーザダイオードから波長の異なるレーザ光が出射される。このとき、反射ミラーを回動手段で回動させ、反射ミラーの反射面をレーザ光を出射するレーザダイオードの方向を向けることにより、レーザダイオードから出射されたレーザ光が反射ミラーの反射面で対物レンズの方向へ反射され、反射面で反射されたレーザ光はビーム径調節手段でビーム径を調節されるとともに対物レンズで収光され、ＣＤ又はＤＶＤ上の記録面上に良好なスポットが形成される。
【００１６】
請求項２記載の発明は、請求項１記載の発明の光ピックアップにおいて、反射ミラーは、外径形状が円柱状に形成された円柱形反射ミラーであり、この円柱形反射ミラーがその中心軸を対物レンズの光軸と一致させて回動するように前記円柱形反射ミラーをハウジングに形成された取付凹部に回動自在に嵌合させた。
【００１７】
従って、円柱形反射ミラーは外径形状が円柱状であり、この円柱形反射ミラーを形成する際の寸法管理箇所が少なくなる。また、この円柱形反射ミラーを回動自在に嵌合させるハウジングの取付凹部の形状も円柱形状とすることができ、円柱状の取付凹部を形成する際の寸法管理箇所が少なくなる。このため、円柱形反射ミラー及び取付凹部を、安価に、かつ容易に形成することができる。
【００１８】
請求項３記載の発明は、請求項２記載の発明の光ピックアップにおいて、回動手段は、円柱形反射ミラーの外周部に取り付けられた鍔状部材と、Ｓ・Ｎ極を放射状に着磁されて前記鍔状部材におけるハウジングに対向する面に取り付けられたマグネットと、前記ハウジングにおける前記マグネットに対向する面に取り付けられたコイルとを有する。
【００１９】
従って、コイルに対して通電することにより、フレミングの左手の法則により円柱形反射ミラーが鍔状部材及びマグネットと共に回動し、円柱形反射ミラーの反射面がレーザ光を出射するレーザダイオードの方向へ向けられる。
【００２０】
請求項４記載の発明は、請求項３記載の発明の光ピックアップにおいて、鍔状部材の外周部に取り付けられた弾性支持体と、この弾性支持体の先端部に設けられた係合体と、ハウジングに設けられた前記係合体が弾発的に係合する複数個の被係合体と、前記係合体と前記被係合体とに設けられてこれらの係合体と被係合体との係合時に通電状態となる電極端子とを有する。
【００２１】
従って、回動手段で円柱形反射ミラーを回動させたとき、この円柱形反射ミラーと一体に弾性支持体が回動し、所定の回動位置において、弾性支持体の先端部に設けられた係合体とハウジングに設けられた被係合体とが係合する。係合体と被係合体とが係合すると、係合体の電極端子と被係合体の電極端子とが通電状態となり、係合体と被係合体とが係合する位置へ円柱形反射ミラーが回動したことが検出される。
【００２２】
請求項５記載の発明は、請求項３記載の発明の光ピックアップにおいて、鍔状部材とマグネットとを一体化した鍔状マグネットモールドを設け、この鍔状マグネットモールドを円柱形反射ミラーの外周部に取り付けた。
【００２３】
従って、２部品であった鍔状部材とマグネットとが１部品となることにより、コストダウンと薄型化とが達成される。また、この鍔状マグネットモールドを円柱形反射ミラーの外周部に取り付けるとき、円柱形反射ミラーの外周面を傷付けにくくなる。
【００２４】
請求項６記載の発明は、請求項１記載の発明の光ピックアップにおいて、反射ミラーは、円筒部外周面にＳ・Ｎ極を周方向に沿って着磁した円筒状マグネットモールドに平板反射ミラーを取り付けることにより形成されており、回動手段は、前記円筒状マグネットモールドとこの円筒状マグネットモールドの円筒部外周面と対向する位置に設けられたコイルとを有する。
【００２５】
従って、コイルに対して通電することにより、フレミングの左手の法則により反射ミラーが回動し、反射ミラーの反射面がレーザ光を出射するレーザダイオードの方向へ向けられる。また、円筒状マグネットモールドを中空状とすることにより、反射ミラーの軽量化を図ることができる。
【００２６】
請求項７記載の発明は、請求項１記載の発明の光ピックアップにおいて、ビーム径調節手段は、反射ミラーの反射面に設けられたアパーチャを有する位相差フィルタ膜である。
【００２７】
従って、このアパーチャを有する位相差膜を反射ミラーの反射面に設けることにより、対物レンズに入射されるレーザ光のビーム径がレーザ光の波長に応じて調節される。そして、ビーム径調節手段の設置スペースを別個に設ける必要がなく、光ピックアップが小型化される。
【００２８】
請求項８記載の発明は、請求項１記載の発明の光ピックアップにおいて、ビーム径調節手段は、対物レンズの下面、又は上面、又は内部に設けられたアパーチャを有する位相差フィルタ膜である。
【００２９】
従って、アパーチャを有する位相差フィルタ膜を対物レンズの下面、又は上面、又は内部に設けることにより、対物レンズに入射されるレーザ光のビーム径がレーザ光の波長に応じて調節される。そして、ビーム径調節手段の設置スペースを別個に設ける必要がなく、光ピックアップが小型化される。
【００３０】
請求項９記載の発明は、請求項２記載の発明の光ピックアップにおいて、回動手段は、円柱形反射ミラーの外周部に取り付けられた鍔状部材と、この鍔状部材に保持されたコイルと、このコイルの中央部に設けられた磁性片と、これらのコイルと磁性片とに対向させてハウジングに設けられた複数個のマグネットとを有する。
【００３１】
従って、コイルに対して通電することにより、フレミングの左手の法則により円柱形反射ミラーが鍔状部材及びマグネットと共に回動し、円柱形反射ミラーの反射面がレーザ光を出射するレーザダイオードの方向へ向けられる。また、磁性片とマグネットとの間に作用する磁力により、円柱形反射ミラーの浮き上がりが防止される。さらに、磁性片とマグネットとの間に作用する磁力により、円柱形反射ミラーが所定の停止位置で確実に停止される。
【００３２】
請求項１０記載の発明は、請求項１記載の発明の光ピックアップにおいて、回動手段は、反射ミラーが載置された反射ミラーホルダと、前記反射ミラーの光軸と一致させて前記反射ミラーホルダに設けられたガイド軸部と、このガイド軸部を回動自在に保持するようにハウジングに形成された保持凹部と、前記ハウジングにおける前記反射ミラーホルダの下面と対向する位置に形成された複数個の収容凹部と、これらの収容凹部に転動自在に収容されて前記反射ミラーホルダの下面に当接する複数個の球体と、前記反射ミラーホルダの下面に取付られたコイルと、このコイルの中心部に設けられた磁性片と、これらのコイルと磁性片とに対向させて前記ハウジングに設けられた複数個のマグネットとを有する。
【００３３】
従って、コイルに対して通電することにより、フレミングの左手の法則により反射ミラーが反射ミラーホルダと共に回動し、反射ミラーの反射面がレーザ光を出射するレーザダイオードの方向へ向けられる。反射ミラーホルダは、球体に支えられて回動するため、回動時の摩擦力が小さくなり、スムーズに回動する。また、磁性片とマグネットとの間に作用する磁力により、反射ミラーホルダの浮き上がりが防止される。さらに、磁性片とマグネットとの間に作用する磁力により、円柱形反射ミラーが所定の停止位置で確実に停止される。
【００３４】
請求項１１記載の発明は、請求項１記載の発明の光ピックアップにおいて、レーザダイオードから出射されたレーザ光が反射面に入射される光路上に位置して反射ミラーと一体に回動するコリメータレンズを設けた。
【００３５】
従って、反射ミラーを回動させてこの反射ミラーの反射面をレーザ光を出射するレーザダイオードの方向へ向けたとき、反射ミラーと共にコリメータレンズが回動し、このコリメータレンズは常にレーザ光から出射されて反射面に入射されるレーザ光の光路上に位置する。このため、いずれのレーザダイオードから出射されたレーザ光でも、このコリメータレンズを透過した後に反射ミラーの反射面に入射され、対物レンズに向けて反射される。
【００３６】
【発明の実施の形態】
本発明の第１の実施の形態を図１に基づいて説明する。なお、図１７において説明した部分と同じ部分は同じ符号で示す。この光ピックアップは、７８０ｎｍの波長のレーザ光を出射するとともにホログラムと受光素子とを搭載した第１レーザダイオード１と、６５０ｎｍの波長のレーザ光を出射するとともにホログラムと受光素子とを搭載した第２レーザダイオード２とを備えている。さらに、これらの第１・第２レーザダイオード１，２から出射されたレーザ光の光路上に、コリメータレンズ３，４、反射ミラー９、ビーム径調節手段である位相差フィルタ７、対物レンズ８が配置されている。位相差フィルタ７は、ガラス板の一面に位相差フィルタ膜７ａを設け、その中央部にアパーチャ７ｂを形成したもので、位相差フィルタ膜７ａは６５０ｎｍの波長のレーザ光を透過させるが７８０ｎｍの波長のレーザ光を透過させない性質を有する。このため、対物レンズ８に入射される７８０ｎｍの波長のレーザ光のビーム径が、この位相差フィルタ７により絞られる。
【００３７】
前記反射ミラー９は、図示しない回動手段により、対物レンズ８の光軸の周りに回動自在に設けられている。さらに、この回動手段には、反射ミラー９の反射面９ａが第１レーザダイオード１又は第２レーザダイオード２に対向する位置で反射ミラー９の回動を停止させる停止機構が設けられている。
【００３８】
このような構成において、図１はＤＶＤに対して記録再生を行う状態を示しており、反射ミラー９の反射面９ａが第２レーザダイオード２の方向を向いている。この第２レーザダイオード２からレーザ光が出射されると、このレーザ光はコリメータレンズ４を透過して平行光となり、反射ミラー９で対物レンズ８の方向へ反射される。反射されたレーザ光は、位相差フィルタ７を透過し、対物レンズ８により収光されてＤＶＤの記録面上にスポットを形成し、記録再生が行われる。
【００３９】
この光ピックアップにおいて、ＤＶＤに代えてＣＤを使用する場合には、回動手段により反射ミラー９を回動させ、反射ミラー９の反射面９ａを第１レーザダイオード１の方向へ向ける。そして、反射ミラー９の反射面９ａが第１レーザダイオード１の方向を向いた後に、第１レーザダイオード１からレーザ光が出射される。
【００４０】
第１レーザダイオード１から出射されたレーザ光は、コリメータレンズ４を透過して平行光となり、反射ミラー９で対物レンズ８の方向へ反射される。反射されたレーザ光は位相差フィルタ７によりビーム径を絞られる。そして、ビーム径を絞られたレーザ光が、対物レンズ８により収光されてＣＤの記録面上にスポットを形成し、記録再生が行われる。
【００４１】
ここで、本実施の形態の光ピックアップでは、反射ミラー９を回動させることにより反射ミラー９の反射面９ａを第１レーザダイオード１又は第２レーザダイオード２の方向を向けているため、図１７に示した従来例の光ピックアップのように、レーザ光の光路中にダイクロイックプリズム５のような光学素子を設ける必要がない。このため、光ピックアップの小型化を図ることができる。
【００４２】
また、レーザ光の光路中の光学素子の数が少なくなることにより、光利用効率が高くなり、良好なスポット波面を得ることができる。
【００４３】
また、有限系光学系でダイクロイックプリズム５を使用した場合に生ずる、角度依存によるスポット波面劣化を防止することができる。
【００４４】
さらに、ダイクロイックプリズム５のような光学素子では、波長によって切り換えを行えるレーザ光の種類が２種類だけであるが、反射ミラー９を回動させる方式によれば、３個以上のレーザダイオードを設けた場合にも対応することができる。
【００４５】
つぎに、本発明の第２の実施の形態を図２及び図３に基づいて説明する。なお、図１において説明した部分と同じ部分は同じ符号で示す（以下、同様）。本実施の形態の光ピックアップは、図１において説明した角形の反射ミラー９に代えて、円柱形反射ミラー１０を用いたものである。この円柱形反射ミラー１０は外径形状が円柱状に形成され、その一端側に反射面１０ａが形成されている。
【００４６】
光ピックアップのハウジング１１には取付凹部１２が形成されている。取付凹部１２は円柱状に窪ませた形状に形成され、前記円柱形反射ミラー１０の他端側がこの取付凹部１２に回動自在に嵌合され、円柱形反射ミラー１０は、その中心軸を対物レンズ８の光軸と一致させて回動する。また、取付凹部１２の底面には、スライダーワッシャ１３が挿着されている。
【００４７】
前記円柱形反射ミラー１０の外周部には、鉄などの磁性体で形成されたドーナツ状の鍔状部材１４が固定されている。この鍔状部材１４の下面には、Ｓ・Ｎ極を放射状に着磁したドーナツ状のマグネット１５が固定されている。
【００４８】
前記ハウジング１１における前記取付凹部１２の周縁部には、ドーナツ状の磁性板１６が固定され、この磁性板１６の上面には複数個のコイル１７が取り付けられている。前記鍔状部材１４と前記マグネット１５とを取り付けた円柱形反射ミラー１０の他端側を前記取付凹部１２に嵌合させたとき、前記磁性板１６及び前記コイル１７に対して前記マグネット１５が上下方向で対向する。そして、前記鍔状部材１４と前記マグネット１５と前記コイル１７とにより、前記円柱形反射ミラー１０を対物レンズ８の光軸周りに回動させる回動手段１８が形成されている。
【００４９】
前記鍔状部材１４の外周部には、放射方向に延出した１個のストッパ突起１９が固定されている。前記ハウジング１１における前記磁性板１６の外周部には、所定角度を隔てて２個のストッパ２０ａ，２０ｂが固定されている。
【００５０】
このような構成において、前記鍔状部材１４と前記マグネット１５とを取り付けた円柱形反射ミラー１０の他端側を前記取付凹部１２に嵌合させ、マグネット１５をコイル１７に対向させる。この状態からコイル１７に対して通電すると、フレミングの左手の法則により円柱形反射ミラー１０が中心軸の周りに回動する。コイル１７に流れる電流の向きを変えると、円柱形反射ミラー１０の回動方向が反転する。
【００５１】
円柱形反射ミラー１０が所定角度回動すると、ストッパ突起１９がいずれか一方のストッパ２０ａ，２０ｂに当接し、円柱形反射ミラー１０の回動動作が規制される。
【００５２】
そして、ストッパ突起１９が一方のストッパ２０ａに当接したときに、反射面１０ａが第１レーザダイオード１（図１参照）に対向する方向を向き、ストッパ突起１９が他方のストッパ２０ｂに当接したときに、反射面１０ａが第２レーザダイオード２（図１参照）に対向する方向を向く。
【００５３】
ここで、円柱形反射ミラー１０は外径形状が円柱状であり、この円柱形反射ミラー１０を形成する際には、図１に示すような角形の反射ミラー９を形成する場合に比べて、寸法管理箇所が少なくなる。また、ハウジング１１に形成する取付凹部１２の形状も円柱形状とすることができ、この取付凹部１２を形成する際の寸法管理箇所が少なくなる。このため、円柱形反射ミラー１０及び取付凹部１２を、安価に、かつ容易に形成することができる。
【００５４】
また、回動手段１８が、鍔状部材１４とマグネット１５とコイル１７とにより形成されているため、この回動手段１８を設けるスペースを小さくすることができ、光ピックアップの小型化を図ることができる。
【００５５】
ハウジング１１に固定された磁性板１６と鍔状部材１４に固定されたマグネット１５との間には磁力が作用しており、この磁力により円柱形反射ミラー１０の浮き上がりが防止される。よって、円柱形反射ミラー１０の浮き上がりが原因となって発生する、対物レンズ８に入射されるレーザ光の傾きを防止でき、ＣＤ又はＤＶＤの記録面上に良好なスポットを形成することができる。
【００５６】
また、円柱形反射ミラー１０を外径基準で回動させるため、この円柱形反射ミラー１０の中心軸が一定に維持されて光軸ズレがなく、オフセットの少ない良好な信号を検出することができる。
【００５７】
さらに、ストッパ突起１９とストッパ２０ａ，２０ｂとを設けるという簡単な構造により、円柱形反射ミラー１０の反射面１０ａを第１レーザダイオード１又は第２レーザダイオード２に対向させる位置で確実に停止させることができる。
【００５８】
つぎに、本発明の第３の実施の形態を図４及び図５に基づいて説明する。本実施の形態の光ピックアップでは、円柱形反射ミラー１０の外周部にドーナツ状の鍔状部材１４が固定され、ハウジング１１には円筒形反射ミラー１０の端部が回動自在に嵌合される取付凹部１２（図２，図３参照）が形成されている。前記鍔状部材１４の外周部に棒状の弾性支持体２１が取り付けられ、弾性支持体２１の先端部には係合体２２が固定されている。一方、前記ハウジング１１には、前記係合体２２と係脱自在に係合する２個の被係合体２３ａ，２３ｂが固定されている。
【００５９】
前記係合体２２と前記被係合体２３ａ，２３ｂとには、これらの係合体２２と被係合体２３ａ，２３ｂとの係合時に通電状態となる電極端子２４，２５が設けられている。被係合体２３ａ，２３ｂの電極端子２５には、電源２６、抵抗２７、検出回路２８、ＣＰＵ２９等が接続されている。なお、一方の被係合体２３ａの電極端子２５と他方の被係合体２３ｂの電極端子２５とには、抵抗値の異なる抵抗２７が接続されている。
【００６０】
このような構成において、コイル１７に対して通電すると、フレミングの左手の法則により円柱形反射ミラー１０が中心軸の周りに回動する。コイル１７に流れる電流の向きを変えると、円柱形反射ミラー１０の回動方向が反転する。
【００６１】
円柱形反射ミラー１０が所定角度回動すると、係合体２２がいずれか一方の被係合体２３ａ，２３ｂに係合する。そして、この係合により、係合体２２の電極端子２４と被係合体２３ａ，２３ｂの電極端子２５とが通電状態となり、抵抗２７に電流が流れたことを検出回路２８で検出し、この検出回路２８での検出結果に基づくＣＰＵ２９の制御によりコイル１７への通電が切れる。
【００６２】
そして、係合体２２と被係合体２３ａとが係合したときに、円柱形反射ミラー１０の反射面１０ａが第１レーザダイオード１（図１参照）に対向する方向を向き、係合体２２と被係合体２３ｂとが係合したときに、反射面１０ａが第２レーザダイオード２（図１参照）に対向する方向を向く。係合体２２がどちらの被係合体２３ａ，２３ｂと係合したかということは、抵抗２７の抵抗値の違いにより検出することができる。
【００６３】
ここで、円柱形反射ミラー１０が所定位置へ回動したとき、係合体２２と被係合体２３ａ，２３ｂとが係合し、電極端子２４，２５が通電状態となる。このため、円柱形反射ミラー１０が所定位置へ回動したことの検出を、確実に行うことができる。そして、その検出結果に応じてコイル１７への通電を切ることにより、円柱形反射ミラー１０が所定位置へ回動した後もコイル１７へ通電するということを防止でき、消費電力の無駄がなくなり、コイル１７からの発熱を防止できる。
【００６４】
つぎに、本発明の第４の実施の形態を図６に基づいて説明する。本実施の形態の光ピックアップは、図２又は図４において説明した鍔状部材１４とマグネット１５とを一体化した鍔状マグネットモールド３０が設けられ、この鍔状マグネットモールド３０が円柱形反射ミラー１０の外周部に取り付けられている。ハウジング１１には取付凹部１２が形成され、この取付凹部１２に円柱形反射ミラー１０の端部が回動自在に嵌合されている。
【００６５】
前記ハウジング１１における前記取付凹部１２の周縁部には、ドーナツ状の磁性板１６が固定され、この磁性板１６の上面には複数個のコイル１７が取り付けられている。
【００６６】
このような構成において、２部品であった鍔状部材１４とマグネット１５とを一体化した鍔状マグネットモールド３０を形成することにより、コストダウンと薄型化とを達成できる。また、鍔状部材１４とマグネット１５とを一体化した鍔状マグネットモールド３０を形成することにより、対物レンズ駆動装置やシークモータの駆動時の共振を防止することができる。さらに、この鍔状マグネットモールド３０を円柱形反射ミラー１０の外周部に取り付けるとき、円柱形反射ミラー１０の外周面を傷付けにくくなる。
【００６７】
つぎに、本発明の第５の実施の形態を図７に基づいて説明する。本実施の形態の光ピックアップでは、反射ミラー３１が、円筒部外周面にＳ・Ｎ極を周方向に沿って着磁した円筒状マグネットモールド３２と、その一端側に固定された平板反射ミラー３３とにより形成されている。
【００６８】
ハウジング１１には、円柱状に窪ませた取付凹部１２と、この取付凹部１２の周縁部に位置して立設された半円弧状の保持壁３４とが形成されている。取付凹部１２の底面部には磁性板３５が挿着され、この取付凹部１２に円筒状マグネットモールド３２の他端側が回動自在に嵌合されている。前記保持壁３４の前記円筒状マグネットモールド３２に対向する面には、コイル３６が取り付けられている。そして、前記円筒状マグネットモールド３２と前記コイル３６とにより、前記反射ミラー３１を対物レンズ８の光軸周りに回動させる回動手段３７が形成されている。
【００６９】
円筒状マグネットモールド３２の外周面には、ストッパ突起（図示せず）が固定され、ハウジング１１にはこのストッパ突起に当接する位置に２個のストッパ（図示せず）が固定されている。
【００７０】
このような構成において、円筒状マグネットモールド３２の下端部を取付凹部１２に嵌合させ、コイル３６に対して通電する。すると、フレミングの左手の法則により反射ミラー３１が中心軸の周りに回動し、ストッパ突起がストッパに当接して回動動作が規制された位置において、反射ミラー３１の反射面３１ａが第１レーザダイオード１又は第２レーザダイオード２（図１参照）に対向する方向へ向けられる。
【００７１】
ここで、反射ミラー３１を、中空状の円筒状マグネットモールド３２と平板反射ミラー３３とで形成するとともに、この円筒状マグネットモールド３２の外周部に鍔状部材やマグネットなどを取り付ける必要がないため、反射ミラー３１の軽量化と小型化とを図ることができる。そして、反射ミラー３１が軽量化されることにより、この反射ミラー３１を回動させるためにコイル３６に流す電流を低減することができ、かつ、コイル３６の数を少なくすることができる。
【００７２】
つぎに、本発明の第６の実施の形態を図８に基づいて説明する。本実施の形態の光ピックアップでは、図７において説明した平板反射ミラー３３におけるレーザ光が入射される面に、ビーム径調節手段として、アパーチャ３８ｂを有する位相差フィルタ膜３８ａを設けたものである。なお、平板反射ミラー３３における位相差フィルタ膜３８ａが設けられた面の反対側の面には、アルミニウムなどの反射膜３９が蒸着されている。
【００７３】
このような構成において、ビーム径調節手段であるアパーチャ３８ｂを有する位相差フィルタ膜３８ａを平板反射ミラー３３に設けることにより、この平板反射ミラー３３で反射されて対物レンズ８（図１参照）に入射されるレーザ光のビーム径が、レーザ光の波長に応じて調節される。
【００７４】
また、このアパーチャ３８ｂを有する位相差フィルタ膜３８ａを平板反射ミラー３３に設けることにより、図１に示したように、反射ミラー９と対物レンズ８との間にビーム径調節手段としての位相差フィルタ７を設ける必要がなくなり、光ピックアップの小型化を図ることができる。
【００７５】
つぎに、本発明の第７の実施の形態を図９に基づいて説明する。本実施の形態の光ピックアップでは、対物レンズ８における反射ミラー９（図１参照）に対向する下面に、中央部にアパーチャ４０ｂを有する位相差フィルタ膜４０ａをビーム径調節手段として設けたものである。
【００７６】
このような構成において、ビーム径調節手段であるアパーチャ４０ｂを有する位相差フィルタ膜４０ａを対物レンズ８の下面に設けることにより、この対物レンズ８を透過するレーザ光のビーム径が、レーザ光の波長に応じて調節される。
【００７７】
また、このアパーチャ４０ｂを有する位相差フィルタ膜４０ａを対物レンズ８の下面に設けることにより、図１に示したように、反射ミラー９と対物レンズ８との間にビーム径調節手段としての位相差フィルタ７を設ける必要がなくなり、光ピックアップの小型化を図ることができる。
【００７８】
さらに、アパーチャ４０ｂを有する位相差フィルタ膜４０ａを対物レンズ８の下面に設けることにより、対物レンズ８の光軸とアパーチャ４０ｂの光軸とがズレを生ずることがなく、ＣＤやＤＶＤの記録面上に形成されるスポットに収差がなく、良好な信号を検出できる。
【００７９】
なお、本実施の形態では、アパーチャ４０ｂを有する位相差フィルタ膜４０ａを対物レンズ８の下面に設けた場合を例に挙げて説明したが、このようなアパーチャ４０ｂを有する位相差フィルタ膜４０ａを、図１０に示すように対物レンズ８の内部に設けてもよく、又は、図１１に示すように対物レンズ８の上面に設けても良い。
【００８０】
つぎに、本発明の第８の実施の形態を図１２に基づいて説明する。本実施の形態の光ピックアップは、円柱形反射ミラー１０の外周部にドーナツ状の鍔状部材４１が取り付けられ、この鍔状部材４１の外周部には円柱形反射ミラー１０の中心軸を点対象とする位置に２個の保持突起４２が形成されている。保持突起４２の先端部にはコイル４３が保持され、コイル４３の中央部には磁性片４４が固定されている。
【００８１】
ハウジング１１には、円柱形反射ミラー１０の下端部が回動自在に嵌合される取付凹部１２が形成され、この取付凹部１２を中心とする同一円周上に９０゜の間隔をもって４個のマグネット４５ａ，４５ｂが固定されている。
【００８２】
そして、前記鍔状部材４１とコイル４３と磁性片４４とマグネット４５ａ，４５ｂとにより、前記円柱形反射ミラー１０を対物レンズ８の光軸周りに回動させる回動手段４６が形成されている。
【００８３】
このような構成において、コイル４３とマグネット４５ａとが上下方向で対向しているとき、磁性片４４とマグネット４５ａとの間に磁力が作用し、円柱形反射ミラー１０は回動せずに停止している。このとき、円柱形反射ミラー１０の反射面１０ａが第１レーザダイオード１（図１参照）に対向する方向に向けられている。
【００８４】
この状態からコイル４３にパルス電圧を印加して電流を流すと、フレミングの左手の法則により円柱形反射ミラー１０が中心軸の周りに回動する。そして、コイル４３がマグネット４５ｂの上方位置へ近付くと、このマグネット４５ｂと磁性片４４との間に作用する磁力により円柱形反射ミラー１０の回動が停止される。このとき、円柱形反射ミラー１０の反射面１０ａが第２レーザダイオード２（図１参照）に対向する方向に向けられる。従って、円柱形反射ミラー１０を、反射面１０ａが第１レーザダイオード１又は第２レーザダイオード２に対向する方向を向いた位置で確実に位置固定することができる。
【００８５】
さらに、磁性片４４とマグネット４５ａ，４５ｂとの間に作用する磁力より、円柱形反射ミラー１０の浮き上がりが防止される。よって、円柱形反射ミラー１０の浮き上がりが原因となって発生する、対物レンズ８に入射されるレーザ光の傾きを防止でき、ＣＤ又はＤＶＤの記録面上に良好なスポットを形成することができる。
【００８６】
また、光ピックアップのシーク時には、円柱形反射ミラー１０に加速度が生じるが、コイル４３が円柱形反射ミラー１０の回転軸に対して対称的に配置されているため、回動方向のズレを生じない。
【００８７】
また、コイル４３に印加する電圧をパルス電圧としたため、コイル４３からの発熱を防止でき、消費電力の低減を図ることができる。
【００８８】
つぎに、本発明の第９の実施の形態を図１３及び図１４に基づいて説明する。本実施の形態の光ピックアップでは、円板状の反射ミラーホルダ４７が設けられ、この反射ミラーホルダ４７の上面部に反射ミラー９が固定されている。反射ミラーホルダ４７の下面側中央部には、前記反射ミラー９の光軸と一致したガイド軸部４８が設けられている。また、反射ミラーホルダ４７の下面側外周縁部には、ガイド軸部４８を点対象とする位置に２個のコイル４９が固定されている。コイル４９の中心部には磁性片５０が固定されている。
【００８９】
一方、光ピックアップのハウジング１１には、前記ガイド軸部４８をその軸心周りに回動自在に保持する保持凹部５１が形成されている。さらに、前記反射ミラーホルダ４７の下面に対向し、かつ、前記保持凹部５１を中心とする同一円周上に等間隔で位置する複数個の収容凹部５２が形成されている。これらの収容凹部５２内には球体であるスチールボール５３が転動自在に収容され、スチールボール５３はその上端部が反射ミラーホルダ４７の下面に当接されている。また、ガイド軸部４８を保持凹部５１で回動自在に保持したときに、ハウジング１１における前記コイル４９と対向する円周上に９０゜の間隔をもって配置された４個のマグネット５４ａ，５４ｂが固定されている。そして、これらの反射ミラーホルダ４７と、ガイド軸部４８と、保持凹部５１と、収容凹部５２と、スチールボール５３と、コイル４９と、磁性片５０と、マグネット５４ａ，５４ｂとにより、前記円柱形反射ミラー１０を対物レンズ８の光軸周りに回動させる回動手段５５が形成されている。
【００９０】
このような構成において、コイル４９とマグネット５４ａとが上下方向で対向しているとき、磁性片５０とマグネット５４ａとの間に磁力が作用し、反射ミラーホルダ４７は回動せずに停止している。このとき、反射ミラー９の反射面９ａが第１レーザダイオード１（図１参照）に対向する方向に向けられている。
【００９１】
この状態からコイル４９にパルス電圧を印加して電流を流すと、フレミングの左手の法則により反射ミラーホルダ４７がガイド軸部４８の軸心周りに回動する。そして、コイル４９がマグネット５４ｂの上方位置へ近付くと、このマグネット５４ｂと磁性片５０との間に作用する磁力により反射ミラーホルダ４７の回動が停止される。このとき、反射ミラー９の反射面９ａが第２レーザダイオード２（図１参照）に対向する方向に向けられる。従って、円柱形反射ミラー１０を、反射面１０ａが第１レーザダイオード１又は第２レーザダイオード２に対向する方向を向いた位置で確実に位置固定することができる。
【００９２】
さらに、磁性片５０とマグネット５４ａ，５４ｂとの間に作用する磁力より、反射ミラー９の浮き上がりが防止される。よって、反射ミラー９の浮き上がりが原因となって発生する、対物レンズ８に入射されるレーザ光の傾きが防止され、ＣＤ又はＤＶＤの記録面上に良好なスポットを形成することができる。
【００９３】
また、ハウジング１１と反射ミラーホルダ４７との間にスチールボール５３が設けられているため、反射ミラーホルダ４７を回動させるときの摩擦力が小さくなり、コイル４９に対して電圧を印加する磁気回路の小型化及び薄型化を図ることができる。
【００９４】
なお、本実施の形態においては、反射ミラーホルダ４７の下面側周縁部に２個のコイル４９を固定した場合を例に挙げて説明したが、このコイル４９に代えて、図１５に示すような、フレキシブルなＰＣ板の上にスパイラル状のパターンを形成したコイル５６を使用してもよい。このようなコイル５６を用いることにより、光ピックアップの薄型化を図ることができる。
【００９５】
つぎに、本発明の第１０の実施の形態を図１６に基づいて説明する。本実施の形態の光ピックアップは、円柱形反射ミラー１０の外周部にドーナツ状の鍔状部材５７が取り付けられ、この円柱形反射ミラー１０は鍔状部材５７と共に中心軸の周りに回動自在に設けられている。前記鍔状部材５７には１つの保持突起５８が形成され、保持突起５８の先端部にはコリメータレンズ５９が固定されている。このコリメータレンズ５９は、第１・第２レーザダイオード１，２から出射されたレーザ光が反射面１０ａに入射される光路上に配置されている。
【００９６】
このような構成において、円柱形反射ミラー１０の反射面１０ａが第２レーザダイオード２に対向する方向を向いているとき、コリメータレンズ５９は、第２レーザダイオード２から出射されて反射面１０ａに入射されるレーザ光の光路上に位置する。従って、第２レーザダイオード２から出射されたレーザ光は、コリメータレンズ５９を透過して平行光となり、円柱形反射ミラー１０の反射面１０ａで対物レンズ８の方向へ反射される。
【００９７】
この状態から円柱形反射ミラー１０を回動させて反射面１０ａを第１レーザダイオード１に対向する方向へ向ける。すると、円柱形反射ミラー１０と一体にコリメータレンズ５９が回動し、コリメータレンズ５９は、第１レーザダイオード１から出射されて反射面１０ａに入射されるレーザ光の光路上に位置する。従って、第１レーザダイオード１から出射されたレーザ光は、コリメータレンズ５９を透過して平行光となり、円柱形反射ミラー１０の反射面１０ａで対物レンズ８の方向へ反射される。
【００９８】
このため、１つのコリメータレンズ５９を、第１レーザダイオード１から出射されたレーザ光と第２レーザダイオード２から出射されたレーザ光とを平行光とする光学素子として共用することができ、２つのレーザダイオード１，２を使用する場合でも使用するコリメータレンズ５９の数を１つにすることができる。従って、この光ピックアップで使用する光学素子の数を減らすことができるとともに、この光ピックアップの小型化を図ることができる。
【００９９】
なお、本実施の形態の光ピックアップでは、２個のレーザダイオード１，２を使用する場合を例に挙げて説明したが、３個以上のレーザダイオードを使用する場合でもコリメータレンズは１個でよい。
【０１００】
【発明の効果】
請求項１記載の発明の光ピックアップによれば、反射ミラーを回動手段で回動させ、反射ミラーの反射面をレーザ光を出射するそれぞれのレーザダイオードの方向に選択的に向けることができ、複数のレーザダイオードを設けた場合でも各レーザダイオードから出射されたレーザ光を反射ミラーの反射面で反射させて対物レンズに入射させることができる。従って、レーザダイオードから出射されたレーザ光を反射ミラーへ導くためのダイクロイックプリズムのような光学素子をレーザダイオードと反射ミラーとの間の光路上に設ける必要がなくなり、光ピックアップの小型化を図ることができる。また、光路中の光学素子が少なくなるため、光利用効率を高め、良好なスポット波面を得ることができる。さらに、反射ミラーを回動させる方式であれば、レーザダイオードの数を３個以上に増やした場合でもそれに対応することができる。
【０１０１】
請求項２記載の発明の光ピックアップによれば、反射ミラーを外径形状が円柱状である円柱形反射ミラーとすることにより、円柱形反射ミラーを形成する際の寸法管理箇所が角形の反射ミラーを形成する場合に比べて少ないため、この円柱形反射ミラーを安価に、かつ、容易に形成することができる。さらに、この円柱形反射ミラーを回動自在に嵌合させるハウジングの取付凹部の形状も円柱形状となって寸法管理箇所が少ないため、この取付凹部も安価に、かつ、容易に形成することができる。
【０１０２】
請求項３記載の発明の光ピックアップによれば、円柱形反射ミラーを回動させる回動手段が、円柱形反射ミラーの外周部に取り付けられた鍔状部材と、Ｓ・Ｎ極を放射状に着磁されて鍔状部材におけるハウジングに対向する面に取り付けられたマグネットと、ハウジングにおけるマグネットに対向する面に取り付けられたコイルとを有するので、コイルへ通電することにより円柱形反射ミラーを滑らかに精度良く回動させることができる。
【０１０３】
請求項４記載の発明の光ピックアップによれば、コイルへ通電して円柱形反射ミラーを回動させたとき、この円柱形反射ミラーが所定の回動位置へ回動したときに弾性支持体の先端部に設けられた係合体とハウジングに設けられた被係合体とが係合し、円柱形反射ミラーを正しい回動位置で停止させることができる。さらに、係合体と被係合体とが係合したとき、係合体の電極端子と被係合体の電極端子とが通電状態となり、この通電状態を検出装置で検出することにより、円柱形反射ミラーが所定の回動位置へ回動したことを確実に検出することができる。さらに、この検出と同時ににコイルへの通電を遮断することにより、消費電流の低減とコイルの発熱とを防止することができる。
【０１０４】
請求項５記載の発明の光ピックアップによれば、鍔状部材とマグネットとを一体化した鍔状マグネットモールドを設け、この鍔状マグネットモールドを円柱形反射ミラーの外周部に取り付けることにより、２部品であった鍔状部材とマグネットとが１部品となるためにコストダウンと薄型化とを達成できる。また、この鍔状マグネットモールドを円柱形反射ミラーの外周部に取り付けるとき、円柱形反射ミラーの外周面を傷付けにくくなり、製品の歩留まりを向上させることができる。さらに、円柱形反射ミラーと鍔状マグネットモールドとの密着度が向上するため、円柱形反射ミラーの回動動作の信頼性を向上させることができる。
【０１０５】
請求項６記載の発明の光ピックアップによれば、反射ミラーを、円筒状マグネットモールドと平板反射ミラーとで形成することにより、反射ミラーの軽量化を図ることができる。このため、この反射ミラーを低電流で回動させることができ、消費電力の低減を図ることができる。
【０１０６】
請求項７記載の発明の光ピックアップによれば、ビーム径調節手段が、反射ミラーの反射面に設けられたアパーチャを有する位相差フィルタ膜であるので、独立した構成のビーム径調節手段を設ける必要がなく、コストダウンを図ることができる。さらに、ビーム径調節手段の設置スペースを別個に設ける必要がなく、光ピックアップの小型化を図ることができる。
【０１０７】
請求項８記載の発明の光ピックアップによれば、ビーム径調節手段が、対物レンズの下面、又は上面、又は内部に設けられたアパーチャを有する位相差フィルタ膜であるので、独立した構成のビーム径調節手段を設ける必要がなく、コストダウンを図ることができる。さらに、ビーム径調節手段の設置スペースを別個に設ける必要がなく、光ピックアップの小型化を図ることができる。さらに、ビーム径調節手段の位置が対物レンズの光軸に対してズレを生ずるということがなくなり、精度の高い記録再生を行うことができる。
【０１０８】
請求項９記載の発明の光ピックアップによれば、円柱形反射ミラーを回動させる回動手段が、円柱形反射ミラーの外周部に取り付けられた鍔状部材と、この鍔状部材に保持されたコイルと、このコイルの中央部に設けられた磁性片と、これらのコイルと磁性片とに対向させてハウジングに設けられた複数個のマグネットとを有するので、コイルへ通電することにより円柱形反射ミラーを滑らかに精度良く回動させることができる。そして、磁性片がマグネットの真上の位置で円柱形反射ミラーの回動が停止されるため、円柱形反射ミラーを正しい回動位置で確実に停止させることができる。また、磁性片とマグネットとの間に作用する磁力により円柱形反射ミラーの浮き上がりを防止することができ、このため、円柱形反射ミラーで反射されて対物レンズに入射されるレーザ光の傾きを防止でき、光ディスクの記録面上に良好なスポットを形成することができる。
【０１０９】
請求項１０記載の発明の光ピックアップによれば、反射ミラーを回動させる回動手段が、反射ミラーが載置された反射ミラーホルダと、前記反射ミラーの光軸と一致させて前記反射ミラーホルダに設けられたガイド軸部と、このガイド軸部を回動自在に保持するようにハウジングに形成された保持凹部と、ハウジングにおける反射ミラーホルダの下面と対向する位置に形成された複数個の収容凹部と、これらの収容凹部に転動自在に収容されて反射ミラーホルダの下面に当接する複数個の球体と、反射ミラーホルダの下面に取付られたコイルと、このコイルの中心部に設けられた磁性片と、これらのコイルと磁性片とに対向させてハウジングに設けられた複数個のマグネットとを有するので、コイルへ通電することにより、反射ミラーを反射ミラーホルダと共に滑らかに精度良く回動させることができる。そして、反射ミラーホルダは、球体に支えられて回動するため、回動時の摩擦力が小さくなり、この反射ミラーを低電流で回動させることができ、消費電力の低減を図ることができる。そして、磁性片がマグネットの真上の位置で反射ミラーの回動が停止されるため、反射ミラーを正しい回動位置で確実に停止させることができる。また、磁性片とマグネットとの間に作用する磁力により反射ミラーの浮き上がりを防止することができ、このため、反射ミラーで反射されて対物レンズに入射されるレーザ光の傾きを防止でき、光ディスクの記録面上に良好なスポットを形成することができる。
【０１１０】
請求項１１記載の発明の光ピックアップによれば、反射ミラーの反射面に入射されるレーザ光の光路上に位置してこの反射ミラーと一体に回動するコリメータレンズを設けたので、反射ミラーの反射面をいずれか１つのレーザダイオードに対向する位置へ回動させたとき、コリメータレンズが反射ミラーと一体に回動してこのコリメータレンズがレーザ光を出射するレーザダイオードと反射面との間に位置する。従って、複数のレーザダイオードを有する場合でもコリメータレンズを１個設ければよく、コストの低減と組み立て工程数の低減とを図ることができる。
【図面の簡単な説明】
【図１】本発明の第１の実施の形態の光ピックアップを示す斜視図である。
【図２】本発明の第２の実施の形態の光ピックアップの要部を示す分解斜視図である。
【図３】その縦断正面図である。
【図４】本発明の第３の実施の形態の光ピックアップの要部を示す斜視図である。
【図５】その一部を示す斜視図である。
【図６】本発明の第４の実施の形態の光ピックアップの要部を示す縦断正面図である。
【図７】本発明の第５の実施の形態の光ピックアップの要部を示す縦断正面図である。
【図８】本発明の第６の実施の形態の光ピックアップの要部を示す縦断正面図である。
【図９】本発明の第７の実施の形態の光ピックアップの要部を示す縦断正面図である。
【図１０】第７の実施の形態の変形例を示す正面図である。
【図１１】第７の実施の形態の変形例を示す縦断正面図である。
【図１２】本発明の第８の実施の形態の光ピックアップの要部を示す分解斜視図である。
【図１３】本発明の第９の実施の形態の光ピックアップの要部を示す縦断正面図である。
【図１４】その一部を示す平面図である。
【図１５】第９の実施の形態の変形例を示す平面図である。
【図１６】第１０の実施の形態の光ピックアップを示す斜視図である。
【図１７】従来例の光ピックアップを示す斜視図である。
【符号の説明】
１，２  レーザダイオード
７      ビーム径調節手段
８      対物レンズ
９      反射ミラー
９ａ    反射面
１０      反射ミラー，円柱形反射ミラー
１０ａ    反射面
１１      ハウジング
１２      取付凹部
１４      鍔状部材
１５      マグネット
１７      コイル
１８      回動手段
２１      弾性支持体
２２      係合体
２３ａ，２３ｂ  被係合体
２４，２５      電極端子
３０      鍔状マグネットモールド
３１      反射ミラー
３１ａ    反射面
３２      円筒状マグネットモールド
３３      平板反射ミラー
３６      コイル
３７      回動手段
３８ａ    ビーム径調節手段，アパーチャを有する位相差フィルタ膜
３８ｂ    アパーチャ
４０ａ    ビーム径調節手段，アパーチャを有する位相差フィルタ膜
４０ｂ    アパーチャ
４１      鍔状部材
４３      コイル
４４      磁性片
４５ａ，４５ｂ  マグネット
４６      回動手段
４７      反射ミラーホルダ
４８      ガイド軸部
４９      コイル
５０      磁性片
５１      保持凹部
５２      収容凹部
５３      球体
５４ａ，５４ｂ  マグネット
５５      回動手段
５９      コリメータレンズ
【図１】
0003589420.tif 000002
【図２】
0003589420.tif 000003
【図３】
0003589420.tif 000004
【図４】
0003589420.tif 000005
【図５】
0003589420.tif 000006
【図６】
0003589420.tif 000007
【図７】
0003589420.tif 000008
【図８】
0003589420.tif 000009
【図９】
0003589420.tif 000010
【図１０】
0003589420.tif 000011
【図１１】
0003589420.tif 000012
【図１２】
0003589420.tif 000013
【図１３】
0003589420.tif 000014
【図１４】
0003589420.tif 000015
【図１５】
0003589420.tif 000016
【図１６】
0003589420.tif 000017
【図１７】
0003589420.tif 000018